【手続補正書】
【提出日】平成21年5月22日(2009.5.22)
【手続補正１】
【補正対象書類名】特許請求の範囲
【補正対象項目名】全文
【補正方法】変更
【補正の内容】
【特許請求の範囲】
【請求項１】
第１の軸線周りを回転するように適合された要素と、
前記第１の軸線に沿って延び、前記要素に対して結合されたウォームギヤと、
前記ウォームギヤと噛み合うように係合されて、被駆動ギヤの軸線周りを回転するように構成された、被駆動ギヤと、
前記被駆動ギヤに連結され、前記被駆動ギヤの軸線周りを前記被駆動ギヤとともに回転するように構成された、長いスロットを有するスロット部材と、
前記スロット部材が回転する面に概ね平行な面に、周囲スロットを画定するガイド部材と、
前記レバーの長いスロット内を完全にまたは部分的に延び、前記スロット部材の長いスロットに沿って移動するように適合された部分を有する延長部材であって、当該延長部材の一部分はまた、前記ガイド部材の周囲スロット内を完全にまたは部分的に延び、前記ガイド部材の周囲スロットに沿って移動するように適合され、前記延長部材は、前記周囲スロットの面に概ね垂直な軸線周りを回動する構成になるように、フレームまたはハウジングに、回動するように固定された、延長部材と、
を備え、
前記第１の軸線周りを前記要素が回転することによって、前記ウォームギヤが前記第１の軸線周りを回転し、前記ウォームギヤが回転することによって、前記被駆動ギヤが回転し、前記スロット部材が前記被駆動ギヤの軸線周りに回転し、前記スロット部材が回転すると、前記延長部材の一部分が前記周囲スロットに沿って案内されて、前記要素が、前記第１の軸線を概ね横切る第２の軸線周りにおいて前記フレームまたはハウジングに対して往復回動する、往復動機構。
【請求項２】
前記要素に対して固定されたリングギヤと、
前記リングギヤと噛み合うように係合する駆動ギヤと、
前記駆動ギヤに対して作動的に結合され、前記駆動ギヤを回転させるように構成されたモーターと、
をさらに備え、
当該駆動ギヤは、次に、前記第１の軸線周りに前記リングギヤと前記要素とを回転させる請求項１に記載の往復動機構。
【請求項３】
前記モーターを前記駆動ギヤに連結するギヤ減速部をさらに備える請求項２に記載の往復動機構。
【請求項４】
線状材を巻き取り繰り出すためのリールの一部分が形成されている請求項１に記載の往復動機構。
【請求項５】
前記要素は、線状材を受け入れるように構成されたリールドラムとともに回転するプレートを含み、前記リールドラムと前記プレートとは、前記第１の軸線周りをともに回転するように構成される請求項１に記載の往復動機構。
【請求項６】
前記フレームまたはハウジングは、前記プレートおよび前記リールドラムを実質的に囲むハウジングを含み、前記ハウジングの少なくとも一部分は、前記プレートおよびリールドラムが前記第２の軸線周りを往復回転している間、静止しているように構成され、前記ハウジングの部分は、前記リールドラムの巻き取り面に前記線状材を案内するように構成されたガイド開口部を有する請求項５に記載の往復動機構。
【請求項７】
前記周囲スロットは、概ね、「Ｄ」字状である請求項１に記載の往復動機構。
【請求項８】
巻き取り軸線周りを回転する回転要素であって、当該回転要素が前記巻き取り軸線周りを回転すると前記回転要素の巻き取り面の周りに巻き付けられる線状材を受け入れるように構成された、回転要素と、
前記回転要素を実質的に囲むハウジングであって、当該ハウジングの一部分が、前記線状材を受け入れるように構成された開口部を画定するハウジングと、
往復動機構と、
を備え、前記往復動機構は、
前記回転要素に作動的に連結され長いスロットを画定するスロット部材と、
前記スロット部材に隣接して配置され、周囲スロットを画定するガイド部材と、
前記スロット部材の長いスロット内を完全にまたは部分的に延び、かつ前記ガイド部材の周囲スロット内を完全にまたは部分的に延びる一部分を有する延長部材であって、前記ハウジングに対して回動するように連結され、前記回転要素が前記巻き取り軸線周りを回転すると、前記スロット部材が回転し、次に、当該スロット部材が、前記回転要素を前記ハウジングに対して、前記巻き取り軸線を概ね横切る往復動軸線周りに往復回転させるように、前記延長部材の一部分を前記周囲スロットに沿って案内する、延長部材と、
を備えるリールアセンブリ。
【請求項９】
前記往復動機構は、前記往復動軸線周りにおける回転要素の角速度が概ね正弦曲線になるように、前記回転要素を往復回転させる請求項８に記載のリールアセンブリ。
【請求項１０】
前記往復動機構は、前記巻き取り軸線周りにおける回転要素の所定の回転速度に対して往復動の終点同士の間を実質的に一定の角速度で、前記往復動軸線周りに前記回転要素を往復回転させる請求項８に記載のリールアセンブリ。
【請求項１１】
前記ハウジングは、最上シェル部と底シェル部とを含み、各前記最上シェル部および底シェル部は、概ね半球形である請求項８に記載のリールアセンブリ。
【請求項１２】
前記ハウジングは、最上フレームと、底フレームとを含み、前記最上シェル部が、前記最上フレームに対して固定され、前記底シェル部が、前記底フレームに対して固定される請求項１１に記載のリールアセンブリ。
【請求項１３】
前記最上シェル部と前記回転要素とは、前記往復動軸線周りを前記底シェル部に対して回転するように構成される請求項１１に記載のリールアセンブリ。
【請求項１４】
前記往復動機構は、
前記回転要素のエンドプレートに配置されたリングギヤと、
前記巻き取り軸線に沿って延び、前記回転要素に対して連結されたウォームギヤと、
前記リングギヤと噛み合うように係合する駆動ギヤと、
前記駆動ギヤに対して作動的に連結され、前記駆動ギヤを回転させるように構成されたモーターと、
前記ウォームギヤと噛み合うように係合する最上ギヤと、
をさらに備え、
前記最上ギヤは、前記スロット部材に連結され、前記最上ギヤおよび前記スロット部材は、前記巻き取り軸線に概ね直交する軸線周りを回転するように構成され、前記駆動ギヤが回転すると、前記リングギヤ、前記回転要素が回転し、前記回転要素が回転すると、前記ウォームギヤが回転し、前記ウォームギヤが回転すると、前記最上ギヤが回転して、前記回転要素が、前記往復動軸線周りにおいて前記ハウジングに対して往復動する請求項８に記載のリールアセンブリ。
【請求項１５】
巻き取り軸線周りを回転し、当該回転要素が前記巻き取り軸線周りを回転すると前記回転要素の巻き取り面に巻き付けられる線状材を受け入れるように構成された回転要素と、
前記回転要素を実質的に囲むハウジングであって、当該ハウジングの一部分が、前記線状材が受け入れられるように構成された開口部を画定する、ハウジングと、
前記巻き取り軸線周りにおける回転要素の所定の回転速度に対して、往復動の終点同士の間を概ね一定の角速度で、前記巻き取り軸線に概ね直交する軸線周りに、前記回転要素と前記ハウジングとを相対的に往復回転させるように構成された往復動機構と、
を備えるリールアセンブリ。
【請求項１６】
前記往復動機構は、前記回転要素のプレートと前記ハウジングとの間に配置される請求項１５に記載のリールアセンブリ。
【請求項１７】
線状材を巻き取る方法であって、
回転要素を第１の速度で第１の軸線周りに回転させるステップと、
往復動の終点同士の間において概ね一定の第２の速度で前記第１の軸線に概ね垂直な第２の軸線周りに前記回転要素を往復回転させるステップと、
前記回転要素を往復回転させることにより前記線状材が前記回転要素に巻き取られるように、線状材を前記回転要素に引き寄せるステップと、
を含む方法。
【請求項１８】
前記回転要素を前記第１の軸線周りに回転させるステップは、前記第１の軸線周りにおける前記回転要素の回転を、前記第２の軸線周りにおける前記回転要素の往復回転に転換するステップを含む請求項１７に記載の方法。
【請求項１９】
前記回転要素を前記第１の軸線周りに回転させるステップは、駆動ギヤを前記回転要素のリングギヤと噛み合うように係合させて回転させるステップを含む請求項１７に記載の方法。
【請求項２０】
前記回転要素の回転を転換するステップは、
前記第１の軸線周りを延び前記回転要素に対して連結されたウォームギヤを、前記第１の軸線周りに回転させるステップと、
最上ギヤを前記ウォームギヤと噛み合うように係合させて回転させるステップと、
前記最上ギヤに連結されたスロット部材を前記最上ギヤ軸線周りに回転させるステップと、
を含み、
前記スロット部材が回転すると、延長部材がガイド部材の周囲スロットに沿って案内されて、前記ドラムが往復回転する請求項１８に記載の方法。
【請求項２１】
前記周囲スロットは、前記ガイド部材内を部分的にのみ延びる、請求項１に記載の往復動機構。
【請求項２２】
前記スロット部材は、前記ガイド部材の下方に構成され、
前記延長部材は、前記周囲スロット内を完全に延び、前記延長スロット内を部分的にまたは完全に延びる、請求項１に記載の往復動機構。
【請求項２３】
第１の軸線周りを回転するよう構成された回転部材であって、前記回転部材にホースを巻く、または前記回転部材からホースを巻き戻すよう、前記第１の軸線周りを回転し、実質的に前記第１の軸に垂直な第２の軸線周りを回転するように構成された、前記回転部材と、
前記第２の軸線に実質的に沿って配置された端部を有する中空導管アセンブリであって、流体が流体供給源から当該導管アセンブリに流れるように流体供給源と連結して構成されており、前記第１の軸線に実質的に沿った位置に延び、この位置から前記回転部材の内部に延びる、前記中空導管アセンブリと、
前記回転部材上にあり、前記回転部材に巻き取られるホースと結合するように構成されたホース取り付け部品であって、流体が当該ホース取り付け部品を通って前記導管アセンブリから当該ホース取り付け部品に結合したホースに流れるよう前記回転部材内で前記導管アセンブリが連結される前記ホース取り付け部材と、を備え、
前記導管アセンブリと回転部材とは、前記第２の軸線周りを一緒に回転するように構成された、ホースリールアセンブリ。
【請求項２４】
ホースリールに流体を供給する方法であって、
ホースが巻き取られる回転部材を供給するステップであって、前記回転部材にホースを巻く又は前記回転部材からホースを巻き戻すよう第１の軸線周りを回転するように構成されるとともに、実質的に第の１軸線に垂直な第２の軸線周りを回転するように構成された前記回転部材を供給するステップと、
前記第２の軸線に実質的に沿って配置された端部である、中空導管アセンブリの端部に流体を運ぶステップと、
前記導管アセンブリを通って前記端部から前記第１の軸線に実質的に沿う位置に前記流体を運ぶステップと、
前記導管アセンブリを通って前記位置から前記回転部材内に向かって前記流体を運ぶステップと、
前記導管アセンブリを通って前記回転部材内から前記回転部材のホースに結合したホース取り付け部品に前記流体を運ぶステップと、
前記ホース取り付け部品を通って前記流体がホースに流れることを可能にするステップと、を含み、
前記導管アセンブリと回転部材とは、前記第２の軸線周りを一緒に回転するように構成されている、方法。